(57)【特許請求の範囲】
【請求項１】
液体を吸引し排出するポンプ（２）と、当該ポンプ（２）を駆動する動力源（３）と、前記ポンプ（２）から排出された液体を送り出し噴霧する噴霧ホース（４）と、当該噴霧ホース（４）を巻き取るホースリール（５）とを有する噴霧作業機（１００）において、
前記ホースリール（５）の上方に水平に配置され、前記噴霧ホース（４）が上下方向に挿通可能な環形状のループ体（２４）と、前記ループ体（２４）を下方から支持する支持体（２５）と、を備え、
前記ループ体（２４）は横長形状をなし、当該横長形状の延伸方向が前記ホースリール（５）の軸心方向を向くように配置され、当該軸心方向において前記ホースリール（５）と同等の幅を有するように構成され、
前記支持体（２５）は、前記ループ体（２４）の前記軸心方向に延びる前後それぞれの横長形状の部分を、上部に各々重ねるようにして下方から支持する一対の支持フレーム（２６，２６）をそれぞれ備えることを特徴とする噴霧作業機（１００）。
【請求項２】
前記ループ体（２４）及び前記支持フレーム（２６）は、それぞれ断面が円弧状の部分を有するフレームからなり、
前記支持フレーム（２６）のフレームは前記ループ体（２４）のフレームよりも前記ループ体（２４）のなす環形状の内側にずらして配置されていることを特徴とする請求項１記載の噴霧作業機（１００）。
【請求項３】
前記ループ体（２４）の延伸方向の両端部が、当該両端部以外の部分よりも高くなっていることを特徴とする請求項１又は２記載の噴霧作業機（１００）。
【発明の詳細な説明】
【技術分野】
【０００１】
本発明は、噴霧作業機に関する。
【背景技術】
【０００２】
従来より、液体を収容可能なタンクと、当該タンク内の液体を吸引し排出するポンプと、当該ポンプを駆動する動力源と、ポンプから排出されたタンク内の液体を送り出し噴霧する噴霧ホースと、当該噴霧ホースを巻き取るホースリールとを台車に搭載して構成された噴霧作業機が知られている。このような噴霧作業機は、３６０度全方位からスムーズに噴霧ホースを引き出し、巻き取ることができるのが好ましい。これを実現する構成として、高圧ホース（噴霧ホース）を巻車（ホースリール）に導くホースガイドと、高圧ホースを３６０度全方位からホースガイドに導く円環状のフレームとを備えたものが提案されている（例えば、特許文献１参照）。
【先行技術文献】
【特許文献】
【０００３】
【特許文献１】特開平１０−２９５８４２号公報
【発明の概要】
【発明が解決しようとする課題】
【０００４】
しかしながら、特許文献1に記載されている構成では、円環状のフレームがホースリールよりも大きいために大きな設置スペースを必要とする。さらに、ホースリールよりも大きなフレームでは、引き出し方向によって噴霧ホースをホースリール上に導くことができない場合があるために上記のようにホースガイドを必要とする。このため、噴霧作業機が大型化してしまうという問題があった。
【０００５】
本発明は、このような問題点を解決するためになされたものであり、噴霧ホースのスムーズな引き出し及び巻き取りを３６０度全方位に対し可能としつつ小型化を図ることができる噴霧作業機の提供を目的とする。
【課題を解決するための手段】
【０００６】
本発明による噴霧作業機（１００）は、液体を吸引し排出するポンプ（２）と、当該ポンプ（２）を駆動する動力源（３）と、ポンプ（２）から排出された液体を送り出し噴霧する噴霧ホース（４）と、当該噴霧ホース（４）を巻き取るホースリール（５）とを有する噴霧作業機（１００）において、ホースリール（５）の上方に水平に配置され、噴霧ホース（４）が上下方向に挿通可能な環形状のループ体（２４）と、ループ体（２４）を下方から支持する支持体（２５）と、を備え、ループ体（２４）は横長形状をなし、当該横長形状の延伸方向がホースリール（５）の軸心方向を向くように配置され、当該軸心方向においてホースリール（５）と同等の幅を有するように構成され、支持体（２５）は、ループ体（２４）の軸心方向に延びる前後それぞれの横長形状の部分を、上部に各々重ねるようにして下方から支持する一対の支持フレーム（２６，２６）をそれぞれ備えることを特徴とする。
【０００７】
このような噴霧作業機（１００）によれば、噴霧ホース（４）が上下方向に挿通可能な環形状のループ体（２４）を備え、このループ体がホースリール（５）の軸心方向に延び、当該軸心方向においてホースリール（５）と同等の幅を有する横長形状とされているため、噴霧ホース（４）はいずれの方向に引き出されても小さなループ体（２４）を通してホースリール（５）上に導かれる。これにより、小型化を図りつつ、３６０度全方位に対し噴霧ホース（４）のスムーズな引き出し及び巻き取りが可能となる。
【０００８】
ここで、ループ体（２４）及び支持フレーム（２６）は、それぞれ断面が円弧状の部分を有するフレームからなり、支持フレーム（２６）のフレームはループ体（２４）のフレームよりもループ体（２４）のなす環形状の内側にずらして配置されている構成であると、噴霧ホース（４）が支持フレーム（２６）のフレームとループ体（２４）のフレームの双方に当接するため、フレームと噴霧ホース（４）との接触圧力が分散され、噴霧ホース（４）の引き出し及び巻き取りがよりスムーズになる。
【０００９】
また、ループ体（２４）の延伸方向の両端部が、当該両端部以外の部分よりも高くなっている構成であると、ホースリール（５）の軸心方向に噴霧ホース（４）が引き出された場合に、噴霧ホース（４）がループ体（２４）と接触する位置が高くなり、噴霧ホース（４）を引き回しやすくなるため、噴霧ホース（４）の引き出し及び巻き取りがよりスムーズになる。
【発明の効果】
【００１０】
このように本発明によれば、噴霧ホースのスムーズな引き出し及び巻き取りを３６０度全方位に対し可能としつつ小型化を図ることができる噴霧作業機を提供することができる。
【図面の簡単な説明】
【００１１】
【図１】本発明の第１実施形態に係る噴霧作業機の前方斜視図である。
【図２】図１に示す噴霧作業機の左側面図である。
【図３】図１に示す噴霧作業機の平面図である。
【図４】図２中のIV-IV矢視図である。
【図５】図４中のV-V矢視図である。
【図６】図２中の支持体の固定部を示す拡大図である。
【図７】本発明の第２実施形態に係る噴霧作業機のループ体および支持体を示す背面図である。
【発明を実施するための形態】
【００１２】
以下、本発明に係る噴霧作業機の好適な実施形態について添付図面を参照しながら説明する。なお、各図において、同一の要素には同一の符号を付し、重複する説明は省略する。
【００１３】
図１は、本発明の第１実施形態に係る噴霧作業機の前方斜視図、図２は、図１に示す噴霧作業機の左側面図、図３は、図１に示す噴霧作業機の平面図、図４は、図２中のIV-IV矢視図、図５は、図４中のV-V矢視図、図６は、図２中の支持体の固定部を示す拡大図である。
【００１４】
図１〜図３に示すように、本実施形態に係る噴霧作業機１００は、液体を収容可能なタンク１と、当該タンク１内の液体を吸引し排出するポンプ（動噴）２と、当該ポンプ２を駆動する動力源３（ここでは内燃機関）と、ポンプ２から排出されたタンク１内の液体を送り出し噴霧する噴霧ホース４と、当該噴霧ホース４を巻き取るホースリール５とを台車６に搭載して構成されている。また、台車６は作業者が把持するためのハンドル７を備えており、作業者はハンドル７を把持し、台車６を手押し車のように押し引きして移動させることが可能となっている。以下、ハンドル７の設けられている側（図２の右側）を噴霧作業機１００の後側とする。
【００１５】
台車６は、上記各要素を搭載する台座部１３を備え、当該台座部１３の前側には、軸心が左右方向に延びる一対の前輪８，８が回転自在に支持されており、台座部１３の後側には、左右一対の後輪９，９が回転自在に支持されている。この後輪９，９は、その軸心の向きを水平面内で自在に変えられるようになっており、台車６の方向転換が容易となっている。
【００１６】
このように移動自在に構成された台車６の上部には、台座部１３の前側から鉛直に立ち上がり、後方へ延びる左右一対の上部フレーム１０，１０が設けられており、さらに各々の上部フレーム１０，１０の後端に連設して上方且つ後方に延びる一対のハンドル支持フレーム１１，１１が設けられている。この一対のハンドル支持フレーム１１，１１の後端同士は左右に伸びるフレームで繋がれており、この左右に延びるフレームが作業者の把持する把持フレーム１２を構成している。そして、ハンドル支持フレーム１１，１１及び把持フレーム１２により上記ハンドル７が構成されている。
【００１７】
台車６の台座部１３と上部フレーム１０，１０との間には、上記タンク１が載置されている。このタンク１の上部前側（図２の左側）には液体を注入するための注入口が形成されており、当該注入口がキャップ１４により封止されている。
【００１８】
また、タンク１の後方で、かつハンドル７の下方には、荷物を収容可能な荷物籠１５が取り付けられている。
【００１９】
一対の上部フレーム１０，１０の上部前側には、ポンプ２およびその動力源３からなるポンプセット２７が載置されている。
【００２０】
また、左右一対の上部フレーム１０，１０の上部後側には、ホースリール５を取り付けるための左右一対のリール台１６，１６が各々設けられており、一対のリール台１６，１６の上に、一対の軸受体１７，１７が各々載置されている。
【００２１】
ホースリール５は、噴霧ホース４を巻きつけるための芯体１９と、この芯体１９の軸心方向両端において噴霧ホース４の脱落を防止する一対の円環状板２０，２０とを有している。さらに、ホースリール５は、芯体１９の両端に連設され、一対の円環状板２０，２０の左右外側に突出した一対の円柱体２１，２１を各々有しており、この円柱体２１，２１が上記一対の軸受体１７，１７に各々回転自在に支持されている。このようにして、ホースリール５が台車６に支持され、左右に延びる軸心回りに回転自在となっている。また、円柱体２１，２１の一方（ここでは右側の円柱体２１）の端には、クランク状のハンドル２２が連結されており、ハンドル２２を把持してホースリール５を回転させることが可能となっている。
【００２２】
ホースリール５には、上記噴霧ホース４が巻き取られている。また、噴霧ホース４の先端には噴霧ノズル２３が取り付けられ、この噴霧ノズル２３から液体が噴霧されるようになっている。そして、ホースリール５に巻き取られた噴霧ホース４を引き出し、または引き出された噴霧ホース４をホースリール５に巻き戻すことで噴霧ホース４の引き出し長を適宜調整しながら噴霧作業を行うことが可能となっている。
【００２３】
ここで、噴霧ホース４の引き出しや巻取りをガイドするためのループ体２４と、それを支持するための支持体２５について説明する。
【００２４】
支持体２５は、前後方向に並設された一対の支持フレーム２６，２６を有し、各々の支持フレーム２６，２６はパイプ材から形成されている（図５参照）。なお、フレーム２６，２６の素材は円柱材であってもよい。この一対の支持フレーム２６，２６は、正面視において各々コの字形状に形成されており、その開口側を下方に向け開口内にホースリール５を収容した状態で配置されている（図４参照）。
【００２５】
図６に示すように、各々の支持フレーム２６の両下端部には、おねじ部２６ｂ，２６ｂが各々形成されており、このおねじ部２６ｂ，２６ｂによって各々の支持フレーム２６の両下端部が上記左右一対のリール台１６，１６に取り付けられている。詳しくは、上記一対の軸受体１７，１７に上下方向に貫通する孔が形成され、一対のリール台１６，１６の対応する位置にも上下方向に貫通する孔が形成され、これらの孔に上方から支持フレーム２６の両下端のおねじ部２６ｂ，２６ｂが挿通されている。そして、一対のリール台１６，１６の裏側のナット２８，２８がおねじ部２６ｂ，２６ｂに対して締め付けられ、支持フレーム２６の両端部が一対の軸受体１７，１７と共に一対のリール台１６，１６に各々取り付けられている。なお、おねじ部２６ｂを挿通するための孔は、軸受体１７およびリール台１６の前部および後部に形成されており、前側の孔において前側の支持フレーム２６が取り付けられ、後側の孔において後側の支持フレーム２６が取り付けられている。
【００２６】
図１〜図３に示すように、一対の支持フレーム２６，２６の左右方向に延びる上部は、ホースリール５の上方を左右に横切り、その上にループ体２４が載置されている（図４参照）。ループ体２４は、パイプ材（又は円柱材）からなるフレームであり（図５参照）、平面視において左右方向に延びる長円状に構成されている。そして、ループ体２４の左右方向の幅は、ホースリール５の左右方向の幅と同等となっている。このように形成されたループ体２４は、左右方向に延びる前後一対の直線部分を一対の支持フレーム２６，２６の上部に各々重ねるようにして、一対の支持フレーム２６，２６に載置されて連結されている。この連結状態において、一対の支持フレーム２６，２６の左右方向に延びる上部は、ループ体２４の左右方向に延びる前後一対の直線部分に対し、ループ体２４のなす環形状の内側にずらして配置されている（図５参照）。
【００２７】
以上のように構成された噴霧作業機１００によれば、噴霧ホース４が上下方向に挿通可能な環形状のループ体２４を備え、このループ体２４がホースリール５の軸心方向に延び、当該軸心方向においてホースリール５と同等の幅を有する横長形状とされているため、噴霧ホース４はいずれの方向に引き出されても小さなループ体２４を通してホースリール５上に導かれる。これにより、小型化を図りつつ、３６０度全方位に対し噴霧ホース（４）のスムーズな引き出し及び巻き取りが可能となる。
【００２８】
また、本実施形態では、ループ体２４及び支持体２５のフレームは、噴霧ホース４と接触しても噴霧ホース４を損傷しないように断面が円弧状の部分を有し、支持体２５のフレームはループ体２４のフレームよりもループ体２４のなす環形状の内側にずらして配置されているため、噴霧ホース４が支持体２５のフレームとループ体２４のフレームの双方に当接することになり、フレームと噴霧ホース４との接触圧力が分散され、噴霧ホース４の引き出し及び巻き取りがよりスムーズになる。
【００２９】
また、支持体２５を構成する支持フレーム２６の両端部のおねじ部２６ｂ，２６ｂにナット２８，２８を締め付けることで、支持フレーム２６及び一対の軸受体１７，１７をリール台１６，１６に共締めできるため、部品点数を削減し低コスト化を図ることができる。
【００３０】
次に、本発明による噴霧作業機の第２実施形態を説明する。図７は、本発明の第２実施形態に係る噴霧作業機のループ体および支持体を示す背面図である。
【００３１】
この第２実施形態が第１実施形態と違う点は、図７に示すように、上記ループ体２４に代えて、左右の端部が左右外側に行くに従って上方へ向かうように傾斜したループ体２９を用いると共に、上記支持フレーム２６，２６に代えて、左右方向に延びる上部の形状をループ体２９の形状に合わせて傾斜させた支持フレーム３１，３１を用いた点である。
【００３２】
本実施形態によれば、ループ体２９の延伸方向の両端部が、当該両端部以外の部分よりも高くなっているため、ホースリール５の軸心方向に噴霧ホース４が引き出された場合に、噴霧ホース４がループ体２９と接触する位置が高くなり、噴霧ホース４を引き回しやすくなるため、噴霧ホース４の引き出し及び巻き取りがよりスムーズになる。
【００３３】
なお、第１、第２実施形態では、タンク１を含む各要素が台車６に搭載された構成を示したが、本発明による噴霧作業機はこのような構成に限られるものではない。例えば、タンク１を搭載せず外部の貯水槽等を利用する構成であってもよいし、台車６に搭載せず作業者が持ち上げて運搬する構成であってもよい。
【符号の説明】
【００３４】
１…タンク、２…ポンプ、３…動力源、４…噴霧ホース、５…ホースリール、６…台車、２４…ループ体、２５…支持体、１００…噴霧作業機。
【図１】
0005395002.tif 000002
【図２】
0005395002.tif 000003
【図３】
0005395002.tif 000004
【図４】
0005395002.tif 000005
【図５】
0005395002.tif 000006
【図６】
0005395002.tif 000007
【図７】
0005395002.tif 000008